(57)【特許請求の範囲】
【請求項１】
消耗品を搭載した装置に設けられ、該装置に対する人物の接近を検知する接近検知器と、
前記人物が撮影された画像を、前記接近検知器により該人物の接近が検知された場合に取得する画像取得部と、
前記消耗品の前記装置からの持ち去りを検知する取出検知器と、
前記取出検知器で前記持ち去りが検知された場合に、その検知前の最も近い時間に前記画像取得部で取得された画像を、その検知の情報と対応付けて記録する記録部と、
を備えたことを特徴とする情報処理装置。
【請求項２】
前記記録部は、持ち去られた前記消耗品の量および価格の少なくとも一方について前記検知の情報として記録することを特徴とする請求項１に記載の情報処理装置。
【請求項３】
前記記録部に記録された情報を、予め決められた報知方法で報知する報知部を更に備えたことを特徴とする請求項１または２に記載の情報処理装置。
【請求項４】
装置に収容された対象物の前記装置からの持ち去りを検知する取出検知器と、
前記取出検知器で前記持ち去りが検知された場合に、その検知前の時間に人物が撮影された画像を、その検知の情報と対応付けて記録する記録部と、
を備えたことを特徴とする情報処理装置。
【請求項５】
前記記録部は、持ち去られた前記対象物の量および価格の少なくとも一方について前記検知の情報として記録することを特徴とする請求項４に記載の情報処理装置。
【請求項６】
前記装置に対する人物の接近を検知する接近検知器と、
前記人物が撮影された画像を、前記接近検知器により該人物の接近が検知された場合に取得する画像取得部と、を更に備え、
前記記録部は、前記画像取得部によって取得された画像を記録することを特徴とする請求項５に記載の情報処理装置。
【請求項７】
前記記録部に記録された情報を、予め決められた報知方法で報知する報知部を更に備えたことを特徴とする請求項６に記載の情報処理装置。
【発明の詳細な説明】
【技術分野】
【０００１】
本発明は、情報処理装置に関する。
【背景技術】
【０００２】
従来、コピー機やプリンタなどといった画像形成装置では、トナーや用紙などといった消耗品が消費された場合にユーザが補充できるように、消耗品が取出自在となっていることが多い。このような画像形成装置を例えばオフィスなどで複数のユーザによって使用すると、害意を持ったユーザによって消耗品が盗難される場合がある。そこで、消耗品の盗難を防止する機能が搭載された画像形成装置が提案されている。
【０００３】
例えば特許文献１には、給紙カセットにロックが設けられた画像形成装置が開示されている。
【０００４】
また、例えば特許文献２には、カバーの１回の開閉の前後で、給紙カセットの用紙が減少している場合に警報を出力する画像形成装置が開示されている。
【０００５】
更に、例えば特許文献３には、消耗品の取り外しを検知するセンサに連動して作動される監視カメラを備えたカラー複写複合機が開示されている。
【先行技術文献】
【特許文献】
【０００６】
【特許文献１】特開２００１−２６５１７２号公報
【特許文献２】特開２００６−７５９０号公報
【特許文献３】特開２００５−１４２９９１号公報
【発明の概要】
【発明が解決しようとする課題】
【０００７】
しかしながら、特許文献１や特許文献２の画像形成装置では、盗難が生じた場合に盗難者を特定することが出来ない。また、特許文献３の画像形成装置でも、画像形成装置のカバーなどで盗難者の顔が隠れてしまって特定できない虞がある。
【０００８】
本発明は、消耗品の取り出しに連動して撮影される場合に較べて盗難者の特定が確実な情報処理装置を提供することを目的とする。
【課題を解決するための手段】
【０００９】
請求項１に係る情報処理装置は、
消耗品を搭載した装置に設けられ、その装置に対する人物の接近を検知する接近検知器と、
上記人物が撮影された画像を、上記接近検知器によりその人物の接近が検知された場合に取得する画像取得部と、
上記消耗品の上記装置からの持ち去りを検知する取出検知器と、
上記取出検知器で上記持ち去りが検知された場合に、その検知前の最も近い時間に上記画像取得部で取得された画像を、その検知の情報と対応付けて記録する記録部と、
を備えたことを特徴とする。
請求項２に係る情報処理装置は、請求項１に係る情報処理装置において、
上記記録部が、持ち去られた上記消耗品の量および価格の少なくとも一方について上記検知の情報として記録することを特徴とする。
請求項３に係る情報処理装置は、請求項１または２に係る情報処理装置において、
上記記録部に記録された情報を、予め決められた報知方法で報知する報知部を更に備えたことを特徴とする。
【００１１】
請求項４に係る情報処理装置は、
装置に収容された対象物の前記装置からの持ち去りを検知する取出検知器と、
上記取出検知器で前記持ち去りが検知された場合に、その検知前の時間に人物が撮影された画像を、その検知の情報と対応付けて記録する記録部と、
を備えたことを特徴とする。
請求項５に係る情報処理装置は、請求項４に係る情報処理装置において、
上記記録部が、持ち去られた上記消耗品の量および価格の少なくとも一方について上記検知の情報として記録することを特徴とする。
請求項６に係る情報処理装置は、請求項４に係る情報処理装置において、
上記装置に対する人物の接近を検知する接近検知器と、
上記人物が撮影された画像を、上記接近検知器により当該人物の接近が検知された場合に取得する画像取得部と、を更に備え、
上記記録部は、上記画像取得部によって取得された画像を記録することを特徴とする。
請求項７に係る情報処理装置は、請求項６に係る情報処理装置において、
上記記録部に記録された情報を、予め決められた報知方法で報知する報知部を更に備えたことを特徴とする。
【発明の効果】
【００１２】
請求項１および請求項４に係る情報処理装置によれば、消耗品の取り出しに連動して撮影される場合に較べて盗難者を確実に特定することができる。
【００１３】
請求項３および請求項７に係る情報処理装置によれば、盗難の発生を報知相手に知らせることができる。
【図面の簡単な説明】
【００１４】
【図１】本発明の盗難防止装置の一実施形態が搭載された、本発明の画像形成装置の一実施形態に相当する複合機の外観図である。
【図２】図１に示す複合機のハードウェア構成を概念的に示した構成図である。
【図３】画像形成部の構成例を示す図である。
【図４】本発明の盗難防止装置の一実施形態としての機能構成を示す機能ブロック図である。
【図５】複合機の通常の処理中における盗難防止装置の動作手順を示すフローチャートである。
【図６】消耗品交換処理における盗難防止装置の動作手順を示すフローチャートである。
【図７】電源オン処理における盗難防止装置の動作手順を示すフローチャートである。
【発明を実施するための形態】
【００１５】
本発明の実施形態について、以下図面を参照して説明する。
【００１６】
図１は、本発明の盗難防止装置の一実施形態が搭載された、本発明の画像形成装置の一実施形態に相当する複合機の外観図である。
【００１７】
図１に示す複合機１００は、プリンタ、コピー機、スキャナ、ファクシミリとしての機能を有している。
【００１８】
複合機１００は、外観上、本体部１０１の上部に読取部１０２が載った構造を有する。読取部１０２は原稿の画像を読み取るものである。
【００１９】
また、複合機１００の上部の正面側に操作部１０３および表示部１０４が配備されていて、複合機１００の利用者はこの操作部１０３を、複合機１００の正面側に立って操作する。
【００２０】
操作部１０３は、利用者が複合機１００に動作などを指示するために操作するものであり、表示部１０４は、複合機１００の動作状態や複合機１００に対する操作内容などを表示するものである。
【００２１】
本体部１０１の正面側には、開閉カバー１０１ａと用紙トレイ１０１ｂが備えられており、開閉カバー１０１ａは、トナーカートリッジなどの交換時や紙詰まりなどの際に利用者によって開かれる。用紙トレイ１０１ｂは、用紙の補充時などに利用者によって本体部１０１から引き出される。
【００２２】
複合機１００には、本発明の盗難防止装置の一実施形態が搭載されており、盗難者を特定する画像を撮影で得るため、複合機１００には撮影部（カメラ）１０５も備えられている。
【００２３】
図２は、図１に示す複合機１００のハードウェア構成を概念的に示した構成図である。
【００２４】
複合機１００には、図１にも示した読取部１０２、操作部１０３、表示部１０４、撮影部１０５、が備えられているとともに、上述した本体部１０１内には、画像形成部１０６、制御部１０７、通信部１０８も備えられている。
【００２５】
画像形成部１０６は、例えば電子写真方式などで用紙上に画像を形成するものであり、本発明にいう画像形成部の一例に相当する。この画像形成部１０６の詳細は後で説明する。
【００２６】
通信部１０８は、パーソナルコンピュータなどの外部機器からプリント用の画像データ等を得る機能や、複合機１００の管理者に対して複合機１００の内部状態などを送信する機能などを担うものである。
【００２７】
制御部１０７は、複合機１００全体の動作制御を担うものであって、例えばＣＰＵなどの演算素子やＲＯＭなどの記憶手段やタイマなどを備えたいわゆるボードコンピュータである。なお、近年では、ＭＣＵ（Micro Controller Unit）として複合機１００内の各所に制御機能が分散配備されていることも多いが、説明の便宜上、ここでは１つの制御部１０７に制御機能が集中しているものとする。
【００２８】
図３は、画像形成部１０６の構成例を示す図である。
【００２９】
図１に示す画像形成部１０６は、ＹＭＣＫの各色に対応した４つの画像エンジン１０が並列的に配置されたタンデム型の電子写真装置であり、単色の画像をプリントすることができるほか、４色のトナー像からなるフルカラーの画像をプリントすることができる。
【００３０】
各画像エンジン１０は、感光体ドラム１１、帯電装置１２、露光装置１３、現像装置１４、一次転写装置１５、および感光体クリーナ１６を備えている。画像エンジン１０が備えた各要素のうち、感光体ドラム１１、帯電装置１２、現像装置１４、および感光体クリーナ１６は、画像形成部１０６に対し着脱自在に装着されたドラムカートリッジ１７に一体化されている。このドラムカートリッジ１７は、図１に示された開閉カバー１０１ａを開いた開口から画像形成部１０６に対して着脱される。画像形成部１０６には、開閉カバー１０１ａの開閉を検知するカバースイッチ２１が設けられている。このカバースイッチ２１はメカニカルスイッチであり、図２に示す制御部１０７は、このカバースイッチ２１の状態を確認することで開閉カバー１０１ａの開閉状態を確認する。
【００３１】
画像エンジン１０の感光体ドラム１１は表面に感光体層が設けられたドラムであり、表面に形成される像を保持して矢印Ａ方向に回転する。帯電装置１２、露光装置１３、現像装置１４、一次転写装置１５、および感光体クリーナ１６は、感光体ドラム１１の周囲に矢印Ａの方向の順に配置されている。
【００３２】
帯電装置１２は、感光体ドラム１１の表面を帯電させる装置である。露光装置１３は、画像信号に応じた光を感光体ドラム１１に照射することで、感光体ドラム１１の表面に静電的な潜像を形成する。現像装置１４は、トナーを含んだ現像剤を用いて感光体ドラム１１の表面を現像する。一次転写装置１５は、感光体ドラム１１上のトナー像を中間転写ベルト３１に転写する。感光体クリーナ１６は、感光体ドラム１１の表面を清掃する。
【００３３】
画像形成部１０６には、各画像エンジン１０に対応した複数（ここでは４つ）のトナーカートリッジ１８が画像形成部１０６に対し着脱自在に装着されており、各トナーカートリッジ１８にはＹＭＣＫ各色のトナーが収容されている。現像装置１４には対応するトナーカートリッジ１８からトナーが供給される。このトナーカートリッジ１８も、図１に示された開閉カバー１０１ａを開いた開口から画像形成部１０６に対して着脱される。
【００３４】
上述したドラムカートリッジ１７は、使用に伴って感光体ドラム１１の劣化などが生じると交換されるものであり、本発明にいう消耗品の一例に相当する。また、画像形成部１０６内のドラムカートリッジ１７が装着されている箇所は、本発明にいう消耗品搭載部の一例に相当する。
【００３５】
ドラムカートリッジ１７には、感光体ドラム１１の使用時間などを含んだドラム情報が記録されたメモリ１７ａが備えられており、このメモリ１７ａと無線で通信してドラム情報の読み書きを行うドラム情報通信器２２が画像形成部１０６に備えられている。図２に示す制御部１０７は、このドラム情報通信器２２を介して、ドラムカートリッジ１７に対するドラム情報の読み書きを行うとともにドラムカートリッジ１７の抜き取りも検知する。
【００３６】
トナーカートリッジ１８は、使用に伴ってトナーが消耗されると交換されるものであり、本発明にいう消耗品の一例に相当する。また、画像形成部１０６内のトナーカートリッジ１８が装着されている箇所は、本発明にいう消耗品搭載部の一例に相当する。
【００３７】
トナーカートリッジ１８には、トナーの残量などを含んだトナー情報が記録されたメモリ１８ａが備えられており、このメモリ１８ａと無線で通信してトナー情報の読み書きを行うトナー情報通信器２３が画像形成部１０６に備えられている。図２に示す制御部１０７は、このトナー情報通信器２３を介して、トナーカートリッジ１８に対するトナー情報の読み書きを行うとともにトナーカートリッジ１８の抜き取りも検知する。
【００３８】
画像形成部１０６には、転写ユニット３０、二次転写装置４０、定着装置５０、用紙搬送部６０も備えられている。転写ユニット３０は中間転写ベルト３１を備え、中間転写ベルト３１は、画像形成部１０および二次転写装置４０を経由して矢印Ｂの方向に循環移動する。中間転写ベルト３１には各画像エンジン１０からトナー像が転写され、中間転写ベルト３１はそのトナー像を保持して二次転写装置４０へと搬送する。
【００３９】
用紙搬送部６０は、用紙トレイ１０１ｂに収容された用紙Ｐを取り出して搬送ロール６１で、二次転写装置４０および定着装置５０を経由させて搬送するものである。
【００４０】
二次転写装置４０では、中間転写ベルト３１上のトナー画像と用紙Ｐが重なり、電圧の印加によってトナー画像が用紙Ｐに転写される。
【００４１】
定着装置５０は、トナー像を加熱し加圧して用紙Ｐ上に定着させる。
【００４２】
用紙トレイ１０１ｂに収容された用紙Ｐは、本発明にいう記録材の一例に相当するとともに、画像形成部１０６の稼働に伴い消耗されるので、本発明にいう消耗品の一例にも相当する。画像形成部１０には、用紙トレイ１０１ｂに収容された用紙Ｐの残量を検知する用紙残量検知器２４と、用紙トレイ１０１ｂの引出しを検知するトレイスイッチ２５を備えている。用紙残量検知器２４は、用紙トレイ１０１ｂ内の用紙Ｐを、用紙搬送部６０が取り出せる高さまで持ち上げる時の高さによって残量を検知するものであり、トレイスイッチ２５はメカニカルスイッチである。図２に示す制御部１０７は、用紙残量検知器２４によって検知された残量を取得するとともに、トレイスイッチ２５の状態を確認することによって用紙トレイ１０１ｂの引出しも検知する。用紙残量検知器２４は、本発明にいう取出検知器の一例に相当する。
【００４３】
次に、図１および図２に示す複合機１００に組み込まれた盗難防止装置の機能について説明する。
【００４４】
図４は、本発明の盗難防止装置の一実施形態としての機能構成を示す機能ブロック図である。
【００４５】
機能としての盗難防止装置２００は、撮影部２０１、分析部２０２、記憶部２０３、取出検知部２０４、メール発行部２０５、表示部２０６を備えている。盗難防止装置２００における撮影部２０１および表示部２０６は、ハードウェアとしては、図１および図２に示す撮影部１０５および表示部１０４がそれぞれ担っている。また、盗難防止装置２００における分析部２０２および記憶部２０３は、ハードウェアとしては、図２に示す制御部１０７が担っている。更に、盗難防止装置２００における取出検知部２０４は、ハードウェアとしては、図２に示す制御部１０７と、図３で説明したドラム情報通信器２２や用紙残量検知器２４との組み合わせが担っている。更にまた、盗難防止装置２００におけるメール発行部２０５は、ハードウェアとしては、図２に示す制御部１０７と通信部１０８との組み合わせが担っている。
【００４６】
撮影部２０１は、撮影範囲である複合機１００周辺の画像を常時撮影するものである。この撮影により、複合機１００の利用者については、複合機１００に接近中の様子を示す画像や接近後の顔の画像などが得られる。この撮影部２０１が、本発明にいう画像取得部の一例に相当する。
【００４７】
分析部２０２は、撮影部２０１による撮影で得られた画像を分析して人物や顔等を検出するものである。分析方法については、従来知られた任意の分析方法が採用され得るので、ここでは詳細説明は省略するが、複合機１００に対する人物の接近と、複合機１００周辺に到達後の滞在は区別されて検知されるものとする。この分析部２０２が、本発明にいう接近検知器の一例に相当する。
【００４８】
持ち去り検知部２０４は、図３で説明したドラム情報通信器２２や用紙残量検知器２４などを介して消耗品の持ち去りを検知し、検知時刻などを含んだ検知情報を生成するものである。また、持ち去り検出部２０４は、持ち去りの検知に関連して、図３で説明したカバースイッチ２１やトレイスイッチ２５を介した開閉確認なども行う。この持ち去り検知部２０４が、本発明にいう持ち去り検知器の一例に相当する。
【００４９】
記憶部２０３は、撮影部２０１による撮影で得られた画像を一時的に記憶する機能と、その画像を、持ち去り検知部２０４で生成された検知情報とともに保存する機能とを有するものである。また、本実施形態では、記憶部２０３は、上述したドラム情報やトナー情報も記憶し、更に、用紙トレイ１０１ｂにおける用紙の残量も記憶する。この記憶部２０３が、本発明にいう記録部の一例に相当する。なお、記憶部２０３は、いわゆる不揮発性の記憶手段を有しており、複合機１００の電源が切られた場合であっても記憶内容を保持している。
【００５０】
メール発行部２０５は、記憶部２０３に検知情報が記憶される度に、その検知情報と画像を複合機１００の管理者に宛てて送る電子メールを作成して送信する。
【００５１】
表示部２０６は、記憶部２０３に記憶された検知情報の一覧を、管理者が複合機１００にアクセスした場合に、管理者の指示を待たずに警告表示する。また、一覧に記載された検知情報に対応付けられている画像については、管理者の指示に応じて表示する。
【００５２】
メール発行部２０５は、本発明にいう報知部の一例に相当し、表示部２０６は、本発明にいう報知部の他の一例に相当する。
【００５３】
以下、盗難防止装置２００の動作についてフローチャートを参照しながら説明する。また、フローチャートの説明に際して図１〜４も、特に図番を断らず符号を示して参照するものとする。
【００５４】
図５は、複合機１００の通常の処理中における盗難防止装置２００の動作手順を示すフローチャートである。
【００５５】
図５のフローチャートが示す通常処理の動作は、後述する電源オン時の処理動作が終了すると開始される。
【００５６】
この通常処理の動作が開始されると、撮影部２０１および分析部２０２により、複合機１００に対する人物（利用者）の接近検知が開始され（ステップＳ１０１）、接近が検知されるまで待機状態となる（ステップＳ１０２；Ｎ）。
【００５７】
複合機１００に対する利用者の接近が検知された場合（ステップＳ１０２；Ｙ）は、前回の撮影で得られて一時的に記憶部２０３に記憶されていた画像が削除され（ステップＳ１０３）、今回の撮影で得られた画像が一時的に記憶部２０３に記憶される（ステップＳ１０４）。利用者の撮影と画像の記憶は、利用者が複合機１００の前に到着するまで継続される（ステップＳ１０５；Ｎ）。
【００５８】
利用者が複合機１００の前に到着すると（ステップＳ１０５；Ｙ）、一時的に記憶部２０３に記憶されている画像の中から、利用者の顔が大きく明確に判別される画像が選択される（ステップＳ１０６）。そして、接近検知が終了され（ステップＳ１０７）、複合機１００周辺における利用者の滞在検知が開始される（ステップＳ１０８）。
【００５９】
その後、複合機１００周辺に利用者が滞在している間（ステップＳ１０９；Ｎ）は、複合機１００は利用者が指示したコピー処理やプリント処理などを受け付けて実行する（ステップＳ１１０）。このとき、画像形成部１０６の稼働に伴って用紙やトナーが消費され、感光体ドラムの劣化も徐々に進む。このため、記憶部２０３に記憶されているドラム情報やトナー情報や用紙の残量が適宜に更新される。また、ステップＳ１１０で受け付けられる処理としては、複合機１００の電源を切る処理も含まれ、電源を切る処理が実行された場合には、図５に示すフローチャートの流れにかかわらず、通常処理の動作が終了する。
【００６０】
上記ステップＳ１０９で、複合機１００周辺における利用者の滞在が検知できなくなった場合（ステップＳ１０９；Ｙ）は、利用者の滞在検知が終了し（ステップＳ１１１）、上記ステップＳ１０１に動作が戻って、上述した各ステップが繰り返される。
【００６１】
次に、利用者が複合機１００の消耗品を交換するときに盗難防止装置２００が実行する消耗品交換処理について説明する。
【００６２】
図６は、消耗品交換処理における盗難防止装置の動作手順を示すフローチャートである。
【００６３】
この消耗品交換処理の動作は、開閉カバー１０１ａの開放と用紙トレイ１０１ｂの引出しのいずれかが検知されると開始される。また、この消耗品交換処理の動作が開始される際には、図５のステップＳ１０８で開始された利用者の滞在検知が継続中であるものとする。
【００６４】
消耗品交換処理が開始されると、開閉カバー１０１ａの開放や用紙トレイ１０１ｂの引出しが検知される前に記憶部２０３に記憶されていたドラム情報やトナー情報や用紙の残量が「交換前残量」として取出検知部２０４に読み出される（ステップＳ２０１）。その後、消耗品の交換や補充が完了したことを表す開閉カバー１０１ａの閉鎖や用紙トレイ１０１ｂの押し戻しが検知されず（ステップＳ２０２；Ｎｏ）、利用者も滞在中である（ステップＳ２０３；Ｎｏ）間は、待機状態となる。
【００６５】
消耗品の交換や補充の完了を表す開閉カバー１０１ａの閉鎖や用紙トレイ１０１ｂの押し戻しが検知されたか（ステップＳ２０２；Ｙｅｓ）、利用者の滞在終了が検知された（ステップＳ２０３；Ｙｅｓ）場合には、取出検知部２０４は「交換後残量」として、ドラム情報通信器２２およびトナー情報通信器２３を介して現在のドラム情報およびトナー情報を取得し、用紙残量検知器２４によって検知された現在の残量を取得する（ステップＳ２０４）。
【００６６】
取出検知部２０４は、「交換前残量」に対して「交換後残量」が、予め決められた閾値以上に減少している場合や、ドラム情報通信器２２およびトナー情報通信器２３の少なくとも一方がトナーカートリッジ１８およびドラムカートリッジ１７の少なくとも一方について抜き取られたままであることを検知している場合には、消耗品の持ち去りが生じたと判定する（ステップＳ２０５；Ｙｅｓ）。
【００６７】
そして、取出検知部２０４は、記憶部２０３に一時的に記憶されている最新の人物画像と、現在時刻と、持ち去りが生じた消耗品の種別と、「交換前残量」および「交換後残量」と、を対応付けて記憶部２０３に保存記録として記憶させる（ステップＳ２０６）。ここで、現在時刻と消耗品種別と「交換前残量」と「交換後残量」とを併せたものが上述した検出情報である。この検出情報と対応付けられた人物画像は、人物（利用者）が複合機１００に接近してきたときに撮影された画像であるため、人物を特定するために有効な顔などがよく写っていることが期待でき、消耗品の取り出しに連動した撮影に較べて盗難者の特定が確実である。
【００６８】
このように、人物画像と検出情報が対応付けられて記憶部２０３に記録されると、その検出情報と人物画像とを含んだ電子メールがメール発行部２０５によって生成されて管理者宛に送信される（ステップＳ２０７）。このような電子メールは、消耗品の持ち出しが生じた場合に直ちに発行されるので即時性に優れている。
【００６９】
電子メールの送信後は、記憶部２０３に記憶されていたドラム情報やトナー情報や用紙の残量が現在の情報や残量に更新されて（ステップＳ２０８）消耗品交換処理が終了する。
【００７０】
なお、ステップＳ２０５で、持ち去りが無いと判定された場合（ステップＳ２０５；Ｎｏ）は、人物画像や検出情報の記録は行われず、ドラム情報やトナー情報や用紙の残量が更新されて（ステップＳ２０８）消耗品交換処理が終了する。
【００７１】
なお、一旦はステップＳ２０５で持ち去りが生じたと判断された場合であっても、一定時間内に残量などが復帰した場合には、単に、交換品や補充品を取りに行っただけとも考えられるので、記憶部２０３の保存記録から削除してもよく、あるいは重要度が低いことを表した情報を付与してもよい。また、消耗品が持ち去られた量や価格などに応じた重要度を表した情報を保存記録に付与してもよい。
【００７２】
次に、複合機１００の電源投入に際して実行される電源オン処理について説明する。
【００７３】
図７は、電源オン処理における盗難防止装置の動作手順を示すフローチャートである。
【００７４】
電源オン処理は、複合機１００の電源が投入されると開始され、まず、記憶部２０３に記憶されているドラム情報やトナー情報や用紙の残量が「交換前残量」として取出検知部２０４に読み出される（ステップＳ３０１）。次に、取出検知部２０４は「交換後残量」として、ドラム情報通信器２２およびトナー情報通信器２３を介して現在のドラム情報およびトナー情報を取得し、用紙残量検知器２４によって検知された現在の残量を取得する（ステップＳ３０２）。
【００７５】
取出検知部２０４は、「交換前残量」に対して「交換後残量」が、予め決められた閾値以上に減少している場合や、ドラム情報通信器２２およびトナー情報通信器２３の少なくとも一方がトナーカートリッジ１８およびドラムカートリッジ１７の少なくとも一方について抜き取られたままであることを検知している場合には、電源の切断中に消耗品の持ち去りが生じたと判定する（ステップＳ３０３；Ｙｅｓ）。
【００７６】
そして、取出検知部２０４は、記憶部２０３に一時的に記憶されている最新の人物画像と上述した検出情報とを対応付けて記憶部２０３に保存記録として記憶させる（ステップＳ３０４）。このときの人物画像は、複合機１００の電源を切った利用者の画像であり、この人物画像に写っている人物（利用者）は、消耗品を持ち出した盗難者である可能性が高い。このような人物画像は、消耗品の取り出しに連動した撮影では得られない人物画像であり、盗難者の特定が確実である。
【００７７】
このように、人物画像と検出情報が対応付けられて記憶部２０３に記録されると、その検出情報と人物画像とを含んだ電子メールがメール発行部２０５によって生成されて管理者宛に送信され（ステップＳ３０５）、電源オン処理が終了する。
【００７８】
なお、ステップＳ３０４で、持ち去りが無いと判定された場合（ステップＳ３０４；Ｎｏ）は、そのまま電源オン処理が終了する。
【００７９】
以上説明したように、本発明の盗難防止装置によれば、消耗品の取り出しに連動して撮影される場合に較べて盗難者が確実に特定される。
【００８０】
なお、上記実施形態では、１つの撮影部（カメラ）で接近検知と人物撮影を行う例が示されているが、本発明にいう接近検知器と撮影機は、複数のカメラで分担される構成であってもよいし、接近検知器として焦電センサのようなカメラ以外の手段が用いられてもよい。
【００８１】
また、上記実施形態では、本発明にいう画像取得部の一例として、盗難防止装置に備えられた撮影部によって撮影画像を取得するものが示されているが、本発明にいう画像取得部は、盗難防止装置外に設けられた例えば監視カメラなどから画像を取得するものであってもよい。このような変形例の場合、人物の接近が本発明にいう接近検知器によって検知されると、この盗難防止装置が搭載された自装置の周辺などを撮影している監視カメラやネットワークカメラに対して画像取得部が接近時の画像を要求して取得する。そして、消耗品の持ち去りが検知された場合には、その取得した画像と持ち去り検知とが対応付けられて保存される。このような変形例では、自装置に搭載された撮影機によって画像を取得する場合に較べて自装置の周辺における撮影の死角が少ないことが期待され、接近者がより確実に撮影されると期待される。
【００８２】
また、上記実施形態では、本発明にいう報知部の一例として、電子メールによる報知と表示画面による報知を行うものが示されているが、本発明にいう報知部の報知方法は、電子メールによる即時性に優れた報知でも、検知情報を用紙上にプリントしたレポート出力による記録の保存性に優れた報知でも、画面表示による確認の容易性に優れた報知でもよい。また、本発明にいう報知部は必須ではなく、本発明の盗難防止装置は、管理者が記録にアクセスして検出情報や人物画像を取得する保安性に優れた形態であってもよい。
【００８３】
また、上記実施形態では、本発明の盗難防止装置が画像形成装置に組み込まれている例が示されているが、本発明の盗難防止装置は、画像形成装置以外の装置に組み込まれてもよい。
【００８４】
また、上記実施形態では、複数の像保持体を備えたいわゆるタンデム方式を例として説明したが、本発明の画像形成装置は、１つの像保持体上に複数色のトナー像を形成するいわゆるリボルバ式の画像形成装置であってもよい。
【００８５】
また、上記説明では画像形成装置の一例として複合機を示したが、本発明の画像形成装置はモノクロ専用機であってもよく、ファクシミリやコピー機やカラープリンタであってもよい。
【００８６】
また、上記説明では画像形成装置の一例として、中間転写ベルトを用いた間接転写方式の画像形成装置を示したが、本発明の画像形成装置は、画像形成部から用紙に直接トナー像が転写される直接転写方式の画像形成装置であってもよい。
【符号の説明】
【００８７】
１００……複合機、１０１……本体部、１０２……読取部、１０３……操作部、１０４……表示部、１０５……撮影部（カメラ）、１０６……画像形成部、１０７……制御部、１０８……通信部、２００……盗難防止装置、２０１……撮影部、２０２……分析部、２０３……記憶部、２０４……持ち去り検知部、２０５……メール発行部、２０６……表示部
【図１】
0006682948.tif 000002
【図２】
0006682948.tif 000003
【図３】
0006682948.tif 000004
【図４】
0006682948.tif 000005
【図５】
0006682948.tif 000006
【図６】
0006682948.tif 000007
【図７】
0006682948.tif 000008